【手続補正書】
【提出日】平成25年12月4日(2013.12.4)
【手続補正１】
【補正対象書類名】特許請求の範囲
【補正対象項目名】全文
【補正方法】変更
【補正の内容】
【特許請求の範囲】
【請求項１】
記録データを前記記録データに含まれる空白データの位置で複数のブロックの記録データに分割する分割制御手段、及び前記分割制御手段で分割された前記ブロックの記録データを送信する送信制御手段を有するホストコンピューターと、
前記ホストコンピューターから送信された前記ブロックの記録データを受信順に受信バッファーに格納する受信手段、及び前記受信バッファーから受信が完了した前記ブロックの記録データを取得して記録媒体に記録する記録制御手段を有する記録装置と、
を備えることを特徴とする記録システム。
【請求項２】
前記分割制御手段は、前記ブロックの記録データが、予め定められたデータ量より大きい場合には、前記ブロックの記録データを複数のブロックに分割する請求項１記載の記録システム。
【請求項３】
前記分割制御手段は、前記ブロックの記録データを複数のブロックに分割する際に、先頭のブロックから順にデータ量が小さくなるように分割する請求項２記載の記録システム。
【請求項４】
前記記録装置は、前記記録媒体を搬送する搬送機構、及び前記搬送機構による搬送方向に直交して配置されたラインヘッドを有し、
前記分割制御手段は、前記記録データを前記ラインヘッドの配列方向の前記空白データの位置で分割を行う請求項１から３のいずれか１項に記載の記録システム。
【請求項５】
前記記録装置は、前記記録媒体の搬送方向に直交する方向に走査して前記記録媒体に記録する記録ヘッドを有し、
前記分割制御手段は、前記記録データを前記記録ヘッドの走査方向の前記空白データの位置で分割を行う請求項１から３のいずれか１項に記載の記録システム。
【請求項６】
記録データを前記記録データに含まれる空白データの位置で複数のブロックに分割する分割制御手段と、
前記分割制御手段で分割されたブロックの記録データを送信する送信制御手段と、
を有することを特徴とする記録制御装置。
【請求項７】
コンピューターを、
記録データに含まれる空白データの位置で前記記録データを分割して前記記録データを複数のブロックの記録データに分割する分割制御手段と、
前記分割制御手段で分割された前記ブロックの記録データを記録装置に送信する送信制御手段と、
して機能させるためのプログラム。
【請求項８】
ホストコンピューターで記録データを前記記録データに含まれる空白データの位置で複数のブロックに分割し、
前記分割されたブロックの記録データを記録装置へ送信し、
前記ホストコンピューターから送信された前記ブロックの記録データを受信順に前記記録装置の受信バッファーに格納し、
前記受信バッファーから、受信が完了した前記ブロックの記録データを取得し、
取得した前記ブロックの記録データを前記記録媒体に記録することを特徴とする記録システムの制御方法。
【手続補正２】
【補正対象書類名】明細書
【補正対象項目名】０００５
【補正方法】変更
【補正の内容】
【０００５】
上記目的を達成するために、本発明は、記録データを前記記録データに含まれる空白データの位置で複数のブロックに分割する分割制御手段と、前記分割制御手段で分割された前記ブロックの記録データを送信する送信制御手段を有するホストコンピューターと、前記記録装置は、前記ホストコンピューターから送信された前記ブロックの記録データを受信順に受信バッファーに格納する受信手段、及び前記受信バッファーから受信が完了した前記ブロックの記録データを取得して記録媒体に記録する記録制御手段を有する記録装置と、を備えることを特徴とする。
本発明によれば、記録対象の記録データが空白部（空白データ）で複数のブロックに分割され、ホストコンピューターから記録装置へブロック単位で記録データが送信されるので、記録データの受信が間に合わずに記録装置が記録を中断して待機しても、一時停止する位置が空白データの位置であるため、記録品質が低下しない。すなわち、記録装置が記録を中断し一時停止するときの中断位置が、記録対象文書に存在する空白に重なるので、中断位置と記録再開位置とがずれても筋状の空白等が視認できない。このため、通信速度が低速である等の理由により記録動作の中断が起きても記録品質の低下を防止できる。
【手続補正３】
【補正対象書類名】明細書
【補正対象項目名】０００６
【補正方法】変更
【補正の内容】
【０００６】
また、本発明は、上記記録システムにおいて、前記分割制御手段は、前記ブロックの記録データが、予め定められたデータ量より大きい場合には、前記ブロックの記録データを複数のブロックに分割することを特徴とする。
本発明によれば、受信バッファーのサイズに基づいて予め定められたデータ量をもとに、空白部で分割されたブロックが、受信バッファーのサイズと比較して、例えば短時間で受信可能なサイズの複数のブロックに再分割される。再分割されたブロックはサイズが小さいため、速やかに記録装置が記録データと記録指示コマンドとの両方を受信して受信バッファーに格納できるので、次のブロックのデータを受信するまで待機する動作が発生せず、中断なく記録できる。このため、例えば記録対象の記録データの空白部が少なく分割できるブロック数が少ない場合に、一つのブロックのサイズが大きくなっても、該ブロックを中断なく記録できる。従って、記録動作の中断の頻度を低下させ、記録品質の低下を防止できる。
【手続補正４】
【補正対象書類名】明細書
【補正対象項目名】０００７
【補正方法】変更
【補正の内容】
【０００７】
また、本発明は、上記記録システムにおいて、前記分割制御手段は、前記ブロックの記録データを複数のブロックに分割する際に、先頭のブロックから順にデータ量が小さくなるように分割することを特徴とする。
本発明によれば、記録装置が受信バッファー内の記録データを記録しながら、次以後のブロックの記録データと記録指示コマンドとを受信する場合に、最初のブロックのサイズが大きいために記録完了までの時間が長く、その後はブロックのサイズを順次小さくすることで受信が速やかに完了するとともに受信バッファー内に確実に記録データと記録指示コマンドとを格納できる。これにより、最初に分割された一つのブロックを中断することなく記録できる。
【手続補正５】
【補正対象書類名】明細書
【補正対象項目名】０００８
【補正方法】変更
【補正の内容】
【０００８】
また、本発明は、上記記録システムにおいて、前記記録装置は、前記記録媒体を搬送する搬送機構、及び前記搬送機構による搬送方向に直交して配置されたラインヘッドを有し、
前記分割制御手段は、前記記録データを前記ラインヘッドの配列方向の前記空白データの位置で分割を行うことを特徴とする。
本発明によれば、記録媒体を搬送しながらラインヘッドにより記録を行う際に、記録装置が記録を中断する場合の停止位置がラインヘッドに平行な空白データに重なるため、中断による記録品質の低下が発生しない。
【手続補正６】
【補正対象書類名】明細書
【補正対象項目名】０００９
【補正方法】変更
【補正の内容】
【０００９】
また、本発明は、上記記録システムにおいて、前記記録装置は、前記記録媒体の搬送方向に直交する方向に走査して前記記録媒体に記録する記録ヘッドを有し、
前記分割制御手段は、前記記録データを前記記録ヘッドの走査方向の前記空白データの位置で分割を行うことを特徴とする。
本発明によれば、記録ヘッドを記録媒体の搬送方向に直交させて走査して記録を行う記録装置が、記録を中断する場合に、走査方向に存在する空白部に重なる位置で停止するので、中断による記録品質の低下が発生しない。
【手続補正７】
【補正対象書類名】明細書
【補正対象項目名】００１０
【補正方法】変更
【補正の内容】
【００１０】
また、上記目的を達成するために、本発明は、記録データを前記記録データに含まれる空白データの位置で複数のブロックに分割する分割制御手段と、前記分割制御手段で分割されたブロックの記録データを送信する送信制御手段と、有することを特徴とする。
本発明の記録制御装置によって記録装置を制御することで、記録対象の記録データが空白部で複数のブロックに分割され、ホストコンピューターから記録装置へブロック単位で記録データが送信されるので、ブロック全体の記録データの受信が間に合わずに記録装置が受信完了まで記録を中断して待機しても、一時停止する位置が空白部の位置であるため、記録品質が低下しない。このため、通信速度が低速である等の理由により記録動作の中断が起きても記録品質の低下を防止できる。
【手続補正８】
【補正対象書類名】明細書
【補正対象項目名】００１１
【補正方法】変更
【補正の内容】
【００１１】
また、上記目的を達成するために、本発明のプログラムは、コンピューターを、記録データに含まれる空白データの位置で前記記録データを分割して前記記録データを複数のブロックの記録データに分割する分割制御手段と、前記分割制御手段で分割された前記ブロックの記録データを記録装置に送信する送信制御手段として機能させる。
本発明のプログラムを実行して記録装置を制御することで、記録対象の記録データが空白部で複数のブロックに分割され、ホストコンピューターから記録装置へブロック単位で記録データが送信されるので、ブロック全体の記録データの受信が間に合わずに記録装置が受信完了まで記録を中断して待機しても、一時停止する位置が空白部の位置であるため、記録品質が低下しない。このため、通信速度が低速である等の理由により記録動作の中断が起きても記録品質の低下を防止できる。